(57)【要約】  【課題】手術のために最初に準備した着衣の数を、確実に、客観的観点から、必要な時に、いつでも数えることができる手段を提供する。  【解決手段】二つの異なる構成部分（２、３）と、前記二つの構成部分（２、３）を分離できる状態で接合する接合部（４）とからなることを特徴とする着衣であって、第１構成部分（３）は手術用で、第２構成部分（２）は、前記際１構成部分（３）の控えとなる前記着衣。  【選択図】  図３
2006070426.tif 000002
【特許請求の範囲】
【請求項１】
着衣であって、二つの異なる構成部分（２、３）と、前記二つの構成部分（２、３）を分離できる状態で接合する接合部（４）とからなる前記着衣であって、第１構成部分（３）は手術用に設計されて、第２構成部分（２）は、前記第１構成部分（３）の控えとなるように設計されていることを特徴とする着衣。
【請求項２】
請求項１に記載の着衣であって、接合部（４）がストリップからなっていて、前記ストリップは、二つの構成部分（２、３）の間に位置して、着衣（１）の構成部分（２、３）に連結していることを特徴とする着衣。
【請求項３】
請求項２に記載の着衣であって、ストリップが破線（７）を有していて、前記破線（７）は、二つの構成部分（２、３）を引き離すことによって分離させることができるよう設計されていることを特徴とする着衣。
【請求項４】
請求項１〜３のいずれかに記載の着衣であって、接合部（４）がラジオパク物質からなることを特徴とする着衣。
【請求項５】
請求項１に記載の着衣であって、少なくとも第１構成部分（３）が、織物からなることを特徴とする着衣。
【請求項６】
請求項１に記載の着衣であって、少なくとも第１構成部分（３）が、織られていない物質からなることを特徴とする着衣。
【請求項７】
請求項１〜６のいずれかに記載の着衣であって、二つの構成部分（２、３）が互いに異なる物質からなることを特徴とする着衣。
【請求項８】
請求項１〜７のいずれに記載の着衣であって、少なくとも、第２構成部分（２）が数字を表示することを特徴とする着衣。
【請求項９】
請求項１〜８のいずれに記載の着衣であって、
保持リング（１２）と、
第１構成部分（３）の端部（１５）が、前記リング（１２）の周囲を包んで、開口部を通過して、スワブ（１０）を貫く前記スワブ（１０）と、
前記スワブ（１０）と第２構成部分（２）とを連結している第１構成部分（３）のブリッジ領域（１１）であって、接合部（４）を引き離すことによって、スワブ（１０）を第２構成部分（２）から分離することのできる前記ブリッジ領域（１１）とを
共に形成することを特徴とする着衣。
【発明の詳細な説明】
【技術分野】
【０００１】
本発明は、手術用着衣に関する。
【背景技術】
【０００２】
手術分野では、著しく重要な影響を及ぼす問題として、手術用器具、または、手術用着衣の一部などの異物を誤って患者の体内で紛失することが挙げられる。
【０００３】
前記着衣に関しては、上記のようなアクシデントが起こる可能性が相対的に高い。これは前記着衣が、時に、多数におよび、そして／または、それらの着衣の最終形態は、それぞれを見分けるのに困難なことに起因する。これらの着衣は、手術者によって、体液にひたされたり、折りたたまれたり、もみくちゃにされたり、縮小されたりして、患者の体内の種々臓器間で、識別および認識が困難になる。
【０００４】
一方で、患者の体内に着衣が残るという不運な出来事で、術後に前記着衣の識別および所在を明らかにすることは、長期間が経過している可能性もあるために、非常に困難な業であることが伺える。
【０００５】
したがって、ラジオパク物質のストリップを組み込んだ手術用着衣が、しばしば使われている。上記のような着衣が紛失した場合には、Ｘ線透視法による検知によって、患者の体内にある前記着衣を識別して、位置決めをすることができる。
【０００６】
前記着衣を紛失するリスクの防止に基づいて、現在使われている上記方法は、しかしながら、手術用着衣を手術前に数えて、手術後にその数が一致するのか確かめる方法に、もっぱら取って変わられている。
【０００７】
この数える方法は、非常に拘束的で、決して保証できないにも関わらず、より一般的に用いられている。
【０００８】
実際には、数が一致したとしても、着衣が患者の体内に残っているという可能性を絶対的な確証をもって排除することはできない。
【０００９】
実際のところは、現実に準備した着衣よりも１つ多く誤って数える、着衣の総数を現実の総数よりも１つ多く記載して、術前と術後の数字が偶然に一致した結果を無効にするなどして、現在使用している方法が、最終的に無効果であることを明白にすることが望ましい。
【００１０】
数えた数を口頭伝達することや、この行為に対する責任感などに起因することなどを鑑みて、また、術前および術後の着衣の数を数える人が異なり、結果的に過失が生じる可能性がある事実を鑑みても、上記方法には、いくらかのリスクがある。このリスクは、最終シフトを超過して、ナーススタッフが手術室で交代するときなどに起こりやすい。
【発明の開示】
【発明が解決しようとする課題】
【００１１】
本発明の目的は、上記問題を解決することである。即ち、手術のために最初に準備した着衣の数を、確実に、客観的観点から、必要な時に、いつでも数えることができて、術後の着衣の総数が、最初に準備した着衣の総数と実際に一致することである。更なる明確な目的は、手術時のリスクを最小限とする試みに対して、今までにない具体的な貢献をすることである。
【課題を解決するための手段】
【００１２】
本発明に因ると、上記目的は下記着衣によって達成される。即ち、着衣であって、二つの異なる構成部分と、前記二つの構成部分を分離できる状態で接合する接合部とからなることを特徴とする前記着衣であって、第１構成部分は、手術用で、第２構成部分は、実際に使用された構成部分の識別用の控えとなる前記着衣。
【００１３】
本発明の技術的特徴は、上記目的を鑑みて、下記請求項に明確に記載されている。また、本発明の進歩性は、下記の詳細な説明と、それに伴う本願の好ましい実施形態を示す図面により明らかである。前記本願の実施形態は、実施例のみに基づいているが、本願の進歩性の範囲を制限するものではない。
【発明を実施するための最良の形態】
【００１４】
本願の図１は、本願に係る着衣の使用前の最初の形状の全体的な斜視図であって、図２は、図１に示す着衣の使用時の全体的な斜視図であって、図３は、本発明に係る複数の着衣であって、典型的なスワブの形状になるように包まれた前記複数の着衣の全体的な斜視図である。
【００１５】
添付の図１は、手術用の着衣であって、二つの異なる構成部分２および３と、前記二つの構成部分を接合する中間接合部４とからなる前記着衣を示している。
【００１６】
前記中間接合部４は、適切な物質のストリップからなっていて、二つの構成部分２および３に、結合部材によって結合されている。前記結合部材は、図示するように、２箇所の縫い目５および６により示される。
【００１７】
前記中間接合部４を構成するストリップは、好ましくは、分割するための破線７を含んでいて、前記破線７は、前記接合部４が容易に、且つ、均等に分割されるように設計されている。従って、前記接合部４は、分割し易いので、引き離すことによって、図２に示すように、二つの構成部分２および３に分離することができる。
【００１８】
着衣１を形成する第１構成部分３は、従来と全く同じ方法で手術用に設計されている。第２構成部分２は、一方で、実際に使用した前記着衣の自動メモリーの控えを形成するように設計されている。したがって、いつでも、誰でも、早く、確実に、手術に使用した第１構成部分（３）の全ての数を数えることができる。特に、非常に早く、絶対的な確実性をもって、第１構成成分３の数を照合して、手術後に患者の体内に１つも残らないようにすることができる。
【００１９】
本願の着衣１は、絶対的な確実性をもって照合することができて、患者の体内に着衣１が残ることは無い。接合部４を形成する材料は、均等に引き離すことができるように設計されていて、いかなる小さな異物も患者の体内に残らないようにすることができる材料であれば、一般的に、どんな材料であってもよい。しかしながら、最大限の安全性を確保するために、且つ、患者の体内で着衣が紛失して、Ｘ線透視法を用いた早急な検知を要する場合は、ラジオパク物質からなるストリップを用いると都合が良い。上記の解決策は、従来の着衣として説明した上記着衣と事実上コストが同じになるという利点を有している。
【００２０】
上記の制限されていない実施例で「着衣」とは、少なくとも患者の体と接触する構成部分が、従来の方法で、自然素材または化学繊維により織られている。
【００２１】
しかしながら、前記「着衣」は、同じ機能を有していて、異なる物質からなるものに対しても用いても良いことは明白である。特に、構成部分３は、着衣の設計に適していれば、他のどんな物質（セルロース、織られていない生地など）からなっていても良い。控えとして設計される構成部分２は、上記構成部分３と同様に、同じ物質からなっていなくても良いことは明白である。実際、二つの構成部分２と３を分割する接合部分４により、前記二つ構成部分２および３の異なる物質を接合する着衣１の製造が非常に簡便になる。
【００２２】
第２構成部分に番号が付された袋の中に着衣が供給されるのならば、使用済み着衣、即ち、術後に患者の体内から取り戻さなければならない着衣を数えることは、完全に機械化されて、容易で、早急で、確実である。
【００２３】
上述の本願に係る発明は、産業上の利用をできることが明白で、進歩性の範囲から逸脱すること無く、修正や変化を加えることができる。
【００２４】
上記のような本願発明の一実施例を図３に示す。
【００２５】
図３は、隣接する複数の着衣１を示す。前記隣接する複数の着衣１は、好ましくは、初めは平たんなストリップ形状で、隣接する第１構成部分３と、それらの縁１５を有していて、前記縁１５で包み込むことにより、伸縮性の保持リングを得る目的で、大きな球状のスワブ１０を形成する。前記大きな球状のスワブ１０は、第１構成部分３と第２構成部分２との間の接合部４の上位に位置する細長いブリッジ領域１１によって、それぞれの第２構成部分２と連結している。
【００２６】
詳細には、前記スワブ１０は、下記方法で提供される。着衣１の第１構成部分３で伸縮性の保持リング１２の周囲を包んだ後に、前記保持リング１２の開口部（概要を図３の破線で示す）に、着衣１の第１構成部分３の端部を挿入して、最後に、スワブ１０は、即ち、第１構成部分３により形成される着衣袋は、前記第１構成部分３の端部が強制的に前記袋に押し込まれることにより充填される。
【００２７】
上記のように形成されたスワブ１０を使用するには、第２構成部分２から各々のスワブのブリッジ領域１１を引き離して、前記スワブ１０の控えとする。スワブ１０と連結しているブリッジ領域１１のフラップ（flap）が、スワブ１０の外部にある必要が無い、あるいは、スワブ１０との使用に適用でき無い場合は、前記フラップもリング１２内に挿入できる。
【図面の簡単な説明】
【００２８】
【図１】本願に係る着衣の使用前の形状の全体的な斜視図である。
【図２】図１に示す着衣の使用時の全体的な斜視図である。
【図３】本発明に係る複数の着衣であって、典型的なスワブの形状になるように包まれた前記複数の着衣の全体的な斜視図である。
【図１】
2006070426.tif 000003
【図２】
2006070426.tif 000004
【図３】
2006070426.tif 000005